(57)【特許請求の範囲】
【請求項１】
被取付物を支持し、この支持した被取付物を水平状態に設定可能な支持装置であって、
三脚に取り付けられるベース体と、
このベース体に水平方向に回動可能に設けられたパン回動体と、
このパン回動体に上下方向に回動可能に設けられ、前記被取付物が取り付けられるティルト回動体と、
このティルト回動体に設けられた水準器と、
前記パン回動体を前記ベース体に対して解除可能に固定するためのパン固定用操作体と、
前記ティルト回動体を前記パン回動体に対して解除可能に固定するためのティルト固定用操作体と、
前記ティルト回動体を前記パン回動体に対して上下方向に回動させるためのティルト回動用操作体とを備え、
前記ティルト回動用操作体は、回転可能に設けられ、
前記ティルト回動用操作体の一方向への回転に応じて、前記ティルト回動体が前記パン回動体に対して上方に回動し、
前記ティルト回動用操作体の他方向への回転に応じて、前記ティルト回動体が前記パン回動体に対して下方に回動する支持装置であって、
前記パン回動体は、下ねじ孔部を有し、
前記ティルト回動体は、上ねじ孔部を有し、
前記ティルト回動用操作体は、
操作本体部と、
この操作本体部から下方に向かって突出し、前記下ねじ孔部に螺合された下ねじ軸部と、
前記操作本体部から上方に向かって突出し、前記上ねじ孔部に螺合された上ねじ軸部とを有する
ことを特徴とする支持装置。
【請求項２】
被取付物を支持し、この支持した被取付物を水平状態に設定可能な支持装置であって、
三脚に取り付けられるベース体と、
このベース体に水平方向に回動可能に設けられたパン回動体と、
このパン回動体に上下方向に回動可能に設けられ、前記被取付物が取り付けられるティルト回動体と、
このティルト回動体に設けられた水準器と、
前記パン回動体を前記ベース体に対して解除可能に固定するためのパン固定用操作体と、
前記ティルト回動体を前記パン回動体に対して解除可能に固定するためのティルト固定用操作体と、
前記ティルト回動体を前記パン回動体に対して上下方向に回動させるためのティルト回動用操作体とを備え、
前記ティルト回動体は、
前記パン回動体に上下方向に回動可能に設けられ、前記水準器が固着された上下回動部材と、
この上下回動部材に水平方向に回動可能に設けられ、前記被取付物が取り付けられる支持部材と、
この支持部材を前記上下回動部材に対して解除可能に固定するための固定用操作部材とを有する
ことを特徴とする支持装置。
【請求項３】
ティルト固定用操作体およびパン固定用操作体が、平面視で前後方向に並んで位置する
ことを特徴とする請求項１または２記載の支持装置。
【請求項４】
水準器は、気泡に対応した大きさの円線と前後方向の直線とが上面に付された気泡水準器である
ことを特徴とする請求項１ないし３のいずれか一記載の支持装置。
【発明の詳細な説明】
【技術分野】
【０００１】
本発明は、被取付物を水平状態に設定可能な支持装置に関するものである。
【背景技術】
【０００２】
従来、例えば非特許文献１に記載された支持装置が知られている。
【０００３】
この従来の支持装置は、三脚に取り付けられる円板状のベース体と、雲台等の被取付物が取り付けられる円板状の支持体と、この支持体に設けられた水準器と、被取付物が水平状態になるように支持体をベース体に対して上下方向に回動させるための３つの操作体とを備えている。３つの操作体は、ベース体および支持体間に周方向に１２０度間隔で位置するように回転可能に設けられている。
【先行技術文献】
【非特許文献】
【０００４】
【非特許文献１】[online]、マンフロット社、[平成２４年２月８日検索]、インターネット＜ＵＲＬ  http://www.manfrotto.com/levelling-base＞
【発明の概要】
【発明が解決しようとする課題】
【０００５】
しかしながら、上記従来の支持装置では、操作性が良好であるとはいえず、操作者が被取付物を水平状態に設定するのに手間取るおそれがある。
【０００６】
本発明は、このような点に鑑みなされたもので、操作性が良好で、被取付物を水平状態に容易に設定できる支持装置を提供することを目的とする。
【課題を解決するための手段】
【０００７】
請求項１記載の支持装置は、被取付物を支持し、この支持した被取付物を水平状態に設定可能な支持装置であって、三脚に取り付けられるベース体と、このベース体に水平方向に回動可能に設けられたパン回動体と、このパン回動体に上下方向に回動可能に設けられ、前記被取付物が取り付けられるティルト回動体と、このティルト回動体に設けられた水準器と、前記パン回動体を前記ベース体に対して解除可能に固定するためのパン固定用操作体と、前記ティルト回動体を前記パン回動体に対して解除可能に固定するためのティルト固定用操作体と、前記ティルト回動体を前記パン回動体に対して上下方向に回動させるためのティルト回動用操作体とを備え、前記ティルト回動用操作体は、回転可能に設けられ、前記ティルト回動用操作体の一方向への回転に応じて、前記ティルト回動体が前記パン回動体に対して上方に回動し、前記ティルト回動用操作体の他方向への回転に応じて、前記ティルト回動体が前記パン回動体に対して下方に回動する支持装置であって、前記パン回動体は、下ねじ孔部を有し、前記ティルト回動体は、上ねじ孔部を有し、前記ティルト回動用操作体は、操作本体部と、この操作本体部から下方に向かって突出し、前記下ねじ孔部に螺合された下ねじ軸部と、前記操作本体部から上方に向かって突出し、前記上ねじ孔部に螺合された上ねじ軸部とを有するものである。
【０００８】
請求項２記載の支持装置は、被取付物を支持し、この支持した被取付物を水平状態に設定可能な支持装置であって、三脚に取り付けられるベース体と、このベース体に水平方向に回動可能に設けられたパン回動体と、このパン回動体に上下方向に回動可能に設けられ、前記被取付物が取り付けられるティルト回動体と、このティルト回動体に設けられた水準器と、前記パン回動体を前記ベース体に対して解除可能に固定するためのパン固定用操作体と、前記ティルト回動体を前記パン回動体に対して解除可能に固定するためのティルト固定用操作体と、前記ティルト回動体を前記パン回動体に対して上下方向に回動させるためのティルト回動用操作体とを備え、前記ティルト回動体は、前記パン回動体に上下方向に回動可能に設けられ、前記水準器が固着された上下回動部材と、この上下回動部材に水平方向に回動可能に設けられ、前記被取付物が取り付けられる支持部材と、この支持部材を前記上下回動部材に対して解除可能に固定するための固定用操作部材とを有するものである。
【０００９】
請求項３記載の支持装置は、請求項１または２記載の支持装置において、ティルト固定用操作体およびパン固定用操作体が、平面視で前後方向に並んで位置するものである。
【００１０】
請求項４記載の支持装置は、請求項１ないし３のいずれか一記載の支持装置において、水準器は、気泡に対応した大きさの円線と前後方向の直線とが上面に付された気泡水準器であるものである。
【発明の効果】
【００１１】
本発明によれば、操作性が良好で、被取付物を水平状態に容易に設定できる。
【図面の簡単な説明】
【００１２】
【図１】本発明の一実施の形態に係る支持装置に雲台を取り付けた使用状態を示す斜視図である。
【図２】同上支持装置の斜視図である。
【図３】同上支持装置の平面図である。
【図４】同上支持装置のＡ−Ａ断面図である。
【図５】同上支持装置のＢ−Ｂ断面図である。
【図６】同上支持装置の分解斜視図である。
【図７】（ａ）〜（ｃ）は同上支持装置の使用方法を説明するための説明図である。
【図８】同上支持装置にカメラを取り付けた使用状態を示す斜視図である。
【発明を実施するための形態】
【００１３】
本発明の一実施の形態について図面を参照して説明する。
【００１４】
図１ないし図６において、１は支持装置で、この支持装置１は、例えばカメラ２が装着された被取付物である雲台３を支持し、この支持した雲台３を水平状態（水平姿勢）に設定可能な水平設定装置である。
【００１５】
図１には、支持装置１に雲台３を取り付けた使用状態が示され、この例では支持装置１が雲台３と三脚４との間に取り付けられている。
【００１６】
雲台３は、図１に示されるように、カメラ２が脱着可能に取り付けられこの取り付けられたカメラ２を支持する雲台本体６と、この雲台本体６に突設された棒状の操作体７とを備えている。雲台本体６の底板部８の中央部には、下方に向かって開口するねじ孔部（図示せず）が形成されている。
【００１７】
三脚４は、基体11と、この基体11に水平方向の軸を中心として回動可能に設けられた長手方向に伸縮可能な棒状の複数本、例えば３本の脚体12と、基体11に昇降可能に設けられた棒状の昇降体13とを備えている。昇降体13は、基体11に対して昇降可能なパイプ部14を有し、このパイプ部14の上端部には円板状の支持板部15が固設されている。支持板部15の中央部には、ねじ軸部（図示せず）が上方に向かって突設されている。
【００１８】
支持装置１は、図２ないし図６等に示されるように、三脚４の昇降体13の上端部に脱着可能に取り付けられるベース体21と、このベース体21に上下方向の回動中心軸線Ａを中心として水平方向である左右方向に回動可能に設けられたパン回動体22と、このパン回動体22に水平方向である左右方向の回動中心軸線Ｂを中心として上下方向に回動可能に設けられ被取付物である雲台３が脱着可能に取り付けられるティルト回動体23と、このティルト回動体23に固設された水準器である気泡水準器24とを備えている。
【００１９】
また、支持装置１は、パン回動体22をベース体21に対して解除可能に固定するための回転可能なパンストッパ等のパン固定用操作体26と、ティルト回動体23をパン回動体22に対して解除可能に固定するための回転可能なティルトストッパ等のティルト固定用操作体27と、ティルト回動体23のパン回動体22に対する固定解除時にティルト回動体23をパン回動体22に対して水平な回動中心軸線Ｂを中心として上下方向に回動させるための回転可能なティルトホイール等のティルト回動用操作体28とを備えている。
【００２０】
ティルト回動用操作体28は、上側のティルト回動体23と下側のパン回動体22との間に回転可能に設けられており、ティルト回動用操作体28の一方向（図３上、時計回り方向）への回転に応じてティルト回動体23がパン回動体22に対して回動中心軸線Ｂを中心として上方に回動し、ティルト回動用操作体28の他方向（図３上、反時計回り方向）への回転に応じてティルト回動体23がパン回動体22に対して回動中心軸線Ｂを中心として下方に回動する。
【００２１】
ベース体21は、三脚４の昇降体13の支持板部15に脱着可能に取り付けられる円板状のベース板部31を有している。ベース板部31の中央部には、下方に向かって開口するねじ孔部32が形成されている。すなわち例えば、ベース部材33に螺着されたねじ部材34に、三脚４の昇降体13のねじ軸部と螺合可能なねじ孔部32が形成されている（図６参照）。
【００２２】
ベース板部31の上面には、上下方向の円筒状の支持部35が上方に向かって一体に突設され、この支持部35の外周面が円筒面状に形成されている。支持部35には、上方に向かって開口する複数、例えば３つのねじ孔部36が支持部35の周方向に１２０度間隔で位置するように形成されている。
【００２３】
そして、取付手段38によって、パン回動体22がベース体21に回動可能に取り付けられている。取付手段38は、例えば円板状の取付プレート39と複数の取付ねじ40とにて構成されている。そして、取付ねじ40が取付プレート39の貫通孔39aに上方から挿入されてベース体21のねじ孔部36に螺合されることにより、パン回動体22がベース体21のベース板部31と取付プレート39との間に挟持された状態となっている。
【００２４】
パン回動体22は、ベース体21の支持部35の外周側に回動中心軸線Ａを中心として水平方向に回動可能に嵌合された略円環状の環状嵌合部41を有している。環状嵌合部41は、上下に貫通した円形状の嵌合孔部42を有し、この嵌合孔部42にベース体21の支持部35が回動可能に嵌合されている。
【００２５】
環状嵌合部41の一方側である前端部には、複数、例えば左右１対で２つの左右方向の円筒状の筒状部43が前方に向かって一体に突設されている。各筒状部43は、両端面が開口した円筒状に形成されている。
【００２６】
環状嵌合部41の他方側である後端部には、所定距離を介して互いに離間対向する複数、例えば左右１対で２つの鉛直板状の支持部である板状部44が後方に向かって一体に突設されている。各板状部44には、左右に貫通した円形状の孔部45が形成されている。
【００２７】
そして、両板状部44にて左右方向の丸軸状の軸状部56が回動可能に支持されている。つまり、両板状部44の孔部45に軸状部56の軸方向両端部が回動可能に嵌合されている。軸状部56の軸方向中央部には、その軸方向に対して直交する方向の下ねじ孔部57が上下に貫通して両端面開口状に形成されている。なお、下ねじ孔部57は、軸状部56の軸方向両端面で開口する孔空間58と、この孔空間58に臨んで位置するねじ溝59とにて構成されている。
【００２８】
また、環状嵌合部41には両端面開口状の１つのねじ孔部47が形成され、このねじ孔部47の一端部は環状嵌合部41の内周面の一部に形成された凹状部48で開口しており、この凹状部48には矩形状で薄板状の板部材50が嵌着されている。ねじ孔部47の他端部は、環状嵌合部41の外周面の一部で左斜め後方に向かって開口している。なお、パン回動体22は、環状嵌合部41、筒状部43、板状部44および軸状部56等にて構成されている。
【００２９】
ここで、パン固定用操作体26は、使用者である操作者が手で回転操作する操作本体部51と、この操作本体部51から水平方向に突出するねじ軸部52とを有している。このねじ軸部52がパン回動体22の環状嵌合部41のねじ孔部47に螺合されている。つまり、パン固定用操作体26は、パン回動体22の環状嵌合部41に回転可能に設けられている。なお、パン固定用操作体26は、例えば操作部材53と、この操作部材53に取付ねじ54で固定的に取り付けられたねじ部材55とにて構成されている。
【００３０】
そして、操作者が操作本体部51を操作してパン固定用操作体26をパン回動体22に対して一方向（締付方向）に回転させると、パン固定用操作体26のねじ軸部52の先端部が板部材50に当接し、この板部材50がベース体21の支持部35の外周面の一部に圧着固定される。こうして、パン固定用操作体26の一方向への回転により、パン回動体22がベース体21に対して解除可能に固定される。
【００３１】
また、操作者が操作本体部51を操作してパン固定用操作体26をパン回動体22に対して他方向（締付解除方向）に回転させると、パン固定用操作体26のねじ軸部52の先端部が板部材50から離れ、この板部材50の支持部35に対する圧着固定が解除される。こうして、パン固定用操作体26の他方向への回転により、パン回動体22のベース体21に対する固定が解除される。なお、操作者がパン固定用操作体26を回転操作する際におけるパン固定用操作体26の回転角度は、例えば１８０度以下が好ましく、例えば略９０度である。
【００３２】
ティルト回動体23は、パン回動体22に水平方向の回動中心軸線Ｂを中心として上下方向に回動可能に設けられ気泡水準器24が固着された上下回動部材61と、この上下回動部材61に上下方向の回動中心軸線Ａを中心として水平方向に回動可能に設けられ雲台３が脱着可能に取り付けられこの取り付けられた雲台３を支持する支持部材62と、この支持部材62を上下回動部材61に対して解除可能に固定するための回転可能なパラノマストッパ等の固定用操作部材63とを有している。
【００３３】
上下回動部材61は、略円環状の環状嵌合部66を有し、この環状嵌合部66には上下に貫通した円形状の嵌合孔部67が形成されている。そして、嵌合孔部67には、支持部材62の嵌合突部73が回動可能に嵌合されている。
【００３４】
支持部材62は、円板状の支持板部71と、この支持板部71に中央部に上方に向かって突設され雲台３の底板部８のねじ孔部と螺合可能なねじ軸部72と、支持板部71に下方に向かって突設された上下方向の円筒状の嵌合突部73とを有し、この嵌合突部73が上下回動部材61の嵌合孔部67に回動可能に嵌合されている。なお、支持板部71の上面部は、例えばコルク材74，75にて構成されている。
【００３５】
嵌合突部73は、その外周面が円筒面状に形成されており、またこの嵌合突部73には、下方に向かって開口する複数、例えば３つのねじ孔部76が周方向に１２０度間隔で位置するように形成されている。
【００３６】
そして、取付手段78によって、上下回動部材61に支持部材62が回動可能に取り付けられている。取付手段78は、例えば円板状の取付プレート79と複数の取付ねじ80とにて構成されている。そして、取付ねじ80が取付プレート79の貫通孔79aに下方から挿入されて支持部材62のねじ孔部76に螺合されることにより、上下回動部材61が支持部材62の支持板部71と取付プレート79との間に挟持された状態となっている。
【００３７】
また、上下回動部材61の環状嵌合部66には、両端面開口状の１つのねじ孔部81が形成され、このねじ孔部81の一端部は環状嵌合部66の内周面の一部に形成された凹状部82で開口しており、この凹状部82には矩形状で薄板状の板部材83が嵌着されている。ねじ孔部81の他端部は、環状嵌合部66の外周面の一部で右斜め後方に向かって開口している。
【００３８】
ここで、固定用操作部材63は、パン固定用操作体26と同じもので、使用者である操作者が手で回転操作する操作本体部86と、この操作本体部86から水平方向に突出するねじ軸部87とを有している。このねじ軸部87が上下回動部材61の環状嵌合部66のねじ孔部81に螺合されている。つまり、固定用操作部材63は、上下回動部材61の環状嵌合部66に回転可能に設けられている。なお、固定用操作部材63は、例えば操作部材88と、この操作部材88に取付ねじ89で固定的に取り付けられたねじ部材90とにて構成されている。
【００３９】
そして、操作者が操作本体部86を操作して固定用操作部材63を上下回動部材61に対して一方向（締付方向）に回転させると、固定用操作部材63のねじ軸部87の先端部が板部材83に当接し、この板部材83が支持部材62の嵌合突部73の外周面の一部に圧着固定される。こうして、固定用操作部材63の一方向への回転により、支持部材62が上下回動部材61に対して解除可能に固定される。
【００４０】
また、操作者が操作本体部86を操作して固定用操作部材63を上下回動部材61に対して他方向（締付解除方向）に回転させると、固定用操作部材63のねじ軸部87の先端部が板部材83から離れ、この板部材83の嵌合突部73に対する圧着固定が解除される。こうして、固定用操作部材63の他方向への回転により、支持部材62の上下回動部材に対する固定が解除される。なお、操作者が固定用操作部材63を回転操作する際における固定用操作部材63の回転角度は、例えば１８０度以下が好ましく、例えば略９０度である。
【００４１】
さらに、上下回動部材61の環状嵌合部66の一方側である前端部には、両端面が開口した左右方向の円筒状をなす１つの筒状部91が前方に向かって一体に突設されている。筒状部91には水準器収納凹部92が上方に向かって一体に突設され、この水準器収納凹部92に気泡水準器24が収納されている。
【００４２】
環状嵌合部66の他方側である後端部には、所定距離を介して互いに離間対向する複数、例えば左右１対で２つの鉛直板状の支持部である板状部94が後方に向かって一体に突設されている。各板状部94には、左右に貫通した円形状の孔部95が形成されている。
【００４３】
そして、両板状部94にて左右方向の丸軸状の軸状部96が回動可能に支持されている。つまり、両板状部94の孔部95に軸状部96の軸方向両端部が回動可能に嵌合されている。軸状部96の軸方向中央部には、その軸方向に対して直交する方向の上ねじ孔部97が上下に貫通して両端面開口状に形成されている。なお、上ねじ孔部97は、軸状部96の軸方向両端面で開口する孔空間98と、この孔空間98に臨んで位置するねじ溝99とにて構成されている。
【００４４】
また、上下回動部材61は、筒状部91の内周側に圧入により嵌合固定された筒状の支軸部101を有し、この支軸部101の軸方向両端側がパン回動体22の両筒状部43の内周側に回動可能に嵌合されている。つまり、上下回動部材61の支軸部101は、その軸芯を回動中心軸線Ｂが通る左右方向長手状で両端面が開口した円筒状をなすもので、パン回動体22の両筒状部43にて回動可能に支持されている。なお、支軸部101は軸方向長手状の凸部102を外周側に有し、この凸部102が筒状部91の内周側の凹部103に嵌合されている。
【００４５】
支軸部101の軸方向両端側は、いずれも周方向に分割した円弧面状をなす複数、例えば４枚の弾性変形可能な変形部である変形板104にて構成されている。
【００４６】
そして、支軸部101の軸方向両端側の内周側には、変形板104の内面と摺接する截頭円錐面105が形成された閉鎖部106が支軸部101の軸方向に摺動可能に嵌合され、この閉鎖部106によって支軸部101の両端面開口が閉鎖されている。左右２つの閉鎖部106のうち一方（例えば左側）の閉鎖部106には軸挿通用孔部107が形成され、他方（例えば右側）の閉鎖部にはねじ孔部108が形成されている。
【００４７】
ここで、ティルト固定用操作体27は、使用者である操作者が手で回転操作する操作本体部111と、この操作本体部111から水平方向に突出し回動中心軸線Ｂが軸芯を通るねじ軸部112とを有している。このねじ軸部112が一方の閉鎖部106の軸挿通用孔部107に挿通されて他方の閉鎖部106のねじ孔部108に螺合されている。つまり、ティルト固定用操作体27は、ティルト回動体23の上下回動部材61の操作体支持部である閉鎖部106に回動中心軸線Ｂを中心として回転可能に設けられている。なお、上下回動部材61は、環状嵌合部66、筒状部91、水準器収納凹部92、板状部94、軸状部96、支軸部101および閉鎖部106等にて構成されている。
【００４８】
そして、操作者が操作本体部111を操作してティルト固定用操作体27をティルト回動体23の上下回動部材61に対して一方向（締付方向）に回転させると、両閉鎖部106が互いに近付く方向に向かって支軸部101に対して若干摺動し、この摺動により支軸部101の軸方向両端側の変形板104が截頭円錐面105にて押されて支軸部101の径方向外方側に弾性変形し、その結果、これら変形板104がパン回動体22の筒状部43の内周面の一部に圧着固定される。こうして、ティルト固定用操作体27の一方向への回転により、ティルト回動体23がパン回動体22に対して解除可能に固定される。
【００４９】
また、操作者が操作本体部111を操作してティルト固定用操作体27をティルト回動体23の上下回動部材61に対して他方向（締付解除方向）に回転させると、両閉鎖部106が互いに離れる方向に向かって支軸部101に対して若干摺動し、この摺動により支軸部101の軸方向両端側の変形板104がその弾性復元力に基づいてもとの状態に復帰し、その結果、これら変形板104の筒状部43に対する圧着固定が解除される。こうして、ティルト固定用操作体27の他方向への回転により、ティルト回動体23のパン回動体22に対する固定が解除される。
【００５０】
そして、このティルト回動体23のパン回動体22に対する固定解除時には、操作者は、ティルト回動用操作体28を操作して下側のパン回動体22および上側のティルト回動体23に対して回転させることにより、ティルト回動体23をパン回動体22に対して回動中心軸線Ｂを中心として上下方向に回動させることが可能となっている。
【００５１】
ここで、ティルト回動用操作体28は、例えば両ねじ孔部57，97に対して回転操作可能に螺合された１つの螺合操作部材のみで構成されている。
【００５２】
ティルト回動用操作体28は、使用者である操作者が手で回転操作する円板状の操作本体部116と、この操作本体部116の中央部下面から下方に向かって突出しパン回動体22の軸状部56の下ねじ孔部57に螺合された上下方向長手状の下ねじ軸部117と、操作本体部116の中央部上面から上方に向かって突出しティルト回動体23の上下回動部材61の軸状部96の上ねじ孔部97に螺合された上下方向長手状の上ねじ軸部118とを有している。
【００５３】
操作本体部116は、上下面に貫通したねじ孔部119を中央部に有し、このねじ孔部119に下ねじ軸部117の上端部および上ねじ軸部118の下端部が螺合されて固定されている。つまり、下ねじ軸部117の上端部と上ねじ軸部118の下端部とが連結され、この連結部分が操作本体部116に対して固定されている。
【００５４】
下ねじ軸部117は、上下方向長手状の軸部分121と、この軸部分121の外周面にその軸部分121の一端から他端にわたって形成されたねじ溝122とにて構成されている。同様に、上ねじ軸部118は、上下方向長手状の軸部分123と、この軸部分123の外周面にその軸部分123の一端から他端にわたって形成されたねじ溝124とにて構成されている。
【００５５】
そして、下ねじ軸部117のねじ溝122の方向と上ねじ軸部118のねじ溝124の方向とは互いに反対であり、両ねじ溝122，124のうち一方が右ねじにて構成され他方が左ねじにて構成されている。
【００５６】
このため、ティルト回動用操作体28の一方向への回転に応じて両軸状部56，96が互いに離反移動してティルト回動体23が上方回動し、ティルト回動用操作体28の他方向への回転に応じて両軸状部56，96が互いに接近移動してティルト回動体23が下方回動する。この接離移動の際、下側の軸状部56はパン回動体22の板状部44に対して回動し、上側の軸状部96はティルト回動体23の板状部94に対して回動する。
【００５７】
また、このティルト回動用操作体28の回転時に、ティルト回動体23の左右１対の係合部である凸状部126がパン回動体22の左右１対の係合受部である凹状部127内を移動する。
【００５８】
凹状部127は、凸状部126の一方側係合面（前面）126aとの当接係合によりティルト回動用操作体28の上方回動を規制する上限規制部である一方側係合受面127aと、凸状部126の他方側係合面（後面）126bとの当接係合によりティルト回動用操作体28の下方回動を規制する下限規制部である他方側係合受面127bとを有している。
【００５９】
こうして、ティルト回動体23がパン回動体22に対して上下方向に回動する際における許容回動角度の範囲が、例えば１５度以下の範囲に設定されている。
【００６０】
気泡水準器24は、ティルト回動体23の上下回動部材61の水準器収納凹部92内に嵌合固定された透明なガラス製の密閉容器131を有している。密閉容器131内には、アルコール等の液体132と１つの気泡133とが封入されている。密閉容器131の上面には、１つの気泡133に対応した大きさの円線134とこの円線134から前方に真っ直ぐに延びた前後方向の直線135とが付されている。
【００６１】
円線134は、気泡133よりも少し大きな円形曲線である。直線135の長さ寸法は、円線134の直径寸法と略同じである。また、水準器収納凹部92の上面前端部には平面視三角形状の基準指示部である突起136が設けられ、この突起136は気泡水準器24の直線の前方に位置している。
【００６２】
なお、図３等に示されるように、ティルト固定用操作体27およびパン固定用操作体26が、平面視で前後方向に並んで位置している。また、パン固定用操作体26、ティルト回動用操作体28および固定用操作部材63が、平面視で円板状の支持板部（被取付物支持部）71の周方向に６０度間隔で位置している。つまり、平面視で、パン固定用操作体26が支持板部71の左斜め後方に位置し、固定用操作部材63が支持板部71の右斜め後方に位置し、ティルト回動用操作体28が支持板部71の後方に位置し、さらに気泡水準器24が支持板部71の前方に位置している。
【００６３】
次に、支持装置１の作用等を図面を参照して説明する。
【００６４】
例えば三脚４を置いた地面等が平坦でなく凸凹していると、カメラ２を装着した雲台３が、水平方向に対して傾いた傾斜状態となる。これでは、適切な撮影が行えないため、雲台３を水平状態に設定する必要がある。
【００６５】
図７（ａ）には、水平設定前における支持装置１の状態が示されており、このような状態から水平設定を行う場合、操作者は、まず、パン固定用操作体26を締付解除方向に回転させ、パン回動体22のベース体21に対する固定を解除する。
【００６６】
次いで、操作者は、図７（ｂ）に示すように、パン回動体22をベース体21に対して回動させ、気泡水準器24の気泡133をヒゲ線である直線135に合わせ、その後、パン固定用操作体26を締付方向に回転させ、パン回動体22をベース体21に対して固定する。
【００６７】
次いで、操作者は、ティルト固定用操作体27を締付解除方向に回転させ、ティルト回動体23のパン回動体22に対する固定を解除した後、図７（ｃ）に示すように、ティルト回動用操作体28の回転操作によりティルト回動体23をパン回動体22に対して回動させ、気泡水準器24の気泡133を円線134に合わせる。
【００６８】
つまり、ティルト回動用操作体28を下側のパン回動体22および上側のティルト回動体23に対して一方向に回転させることにより、ティルト回動体23をパン回動体22に対して上方へ回動させ、気泡133を円線134内に入れる。
【００６９】
その後、操作者は、ティルト固定用操作体27を締付方向に回転させ、ティルト回動体23をパン回動体22に対して固定する。
【００７０】
こうして、支持装置１の被取付物支持部である支持板部71が水平面に沿った状態となり、この支持板部71にて支持された雲台３が、所望の水平状態に設定される。
【００７１】
そして、このような支持装置１によれば、パン固定用操作体26、ティルト固定用操作体27およびティルト回動用操作体28等を備えた構成であるため、被取付物である雲台３の水平設定の際における操作性が良好であり、雲台３を水平状態に容易に設定できる。
【００７２】
また、ティルト回動用操作体28は、操作本体部116と、操作本体部116から下方に向かって突出し下ねじ孔部57に螺合された下ねじ軸部117と、操作本体部116から上方に向かって突出し上ねじ孔部97に螺合された上ねじ軸部118とを有した構成であるから、簡単な構成であるにも拘らず、このティルト回動用操作体28の回転操作によりティルト回動体23を適切に回動でき、雲台３を水平状態に容易かつ適切に設定できる。
【００７３】
さらに、パン回動体22のベース体21に対する回動調整とティルト回動体23のパン回動体22に対する回動調整とからなる２ステップによって、雲台３を水平状態に設定可能であるため、操作者が水平設定の際に手間取るようなことがなく、雲台３を水平状態に容易かつ適切に設定できる。
【００７４】
なお、上記実施の形態では、被取付物として雲台３をティルト回動体23の支持部材62の支持板部71に取り付けた場合について説明したが、被取付物は雲台３以外でもよく、例えば図８に示すように、被取付物としてカメラ２を支持板部71に取り付けた場合であっても、カメラ２を水平状態に容易に設定できる等、同じ作用効果を奏することができる。
【００７５】
被取付物であるカメラ２は、例えばデジタルカメラやビデオカメラ等である。カメラ２の底板部には、支持部材62のねじ軸部72と螺合可能なねじ孔部が形成されている。カメラ２を支持部材62に取り付ける際には、例えば所定厚さのゴム板をカメラ２の底板部と支持部材62の支持板部71との間に介在させる。
【００７６】
また、被取付物は、雲台やカメラ以外に、測定装置や検査装置等、いかなる物でもよい。
【００７７】
さらに、水準器は、密閉容器内に気泡を封入した気泡水準器24には限定されず、例えばＬＥＤランプを用いたデジタル式の水準器等でもよい。
【００７８】
また、ティルト回動体23は、上下回動部材61と、この上下回動部材に対して回動可能な支持部材62と、この支持部材62を固定するための固定用操作部材63とを有するものには限定されず、例えば上下回動部材の上面部が被取付物支持部となっており、この被取付物支持部に被取付物を取り付ける構成等でもよい。
【００７９】
さらに、ティルト回動用操作体28を回転操作する構成には限定されず、例えばティルト回動用操作体を上下方向に移動操作や水平方向に移動操作する構成等でもよい。
【産業上の利用可能性】
【００８０】
本発明は、例えば雲台やカメラ等を支持する支持装置に利用される。
【符号の説明】
【００８１】
１    支持装置
２    被取付物であるカメラ
３    被取付物である雲台
４    三脚
21    ベース体
22    パン回動体
23    ティルト回動体
24    水準器である気泡水準器
26    パン固定用操作体
27    ティルト固定用操作体
28    ティルト回動用操作体
57    下ねじ孔部
61    上下回動部材
62    支持部材
63    固定用操作部材
97    上ねじ孔部
116   操作本体部
117   下ねじ軸部
118   上ねじ軸部
133   気泡
134   円線
135   直線
【要約】
操作性が良好で、被取付物を水平状態に容易に設定できる支持装置を提供する。
支持装置(１)は、三脚(４)に取り付けるベース体(21)を備える。ベース体(21)には、パン回動体(22)を水平方向に回動可能に設ける。パン回動体(22)には、ティルト回動体(23)を上下方向に回動可能に設ける。ティルト回動体(23)には、気泡水準器(24)を設ける。支持装置(１)は、パン回動体(22)をベース体(21)に対して固定するためのパン固定用操作体(26)と、ティルト回動体(23)をパン回動体(22)に対して固定するためのティルト固定用操作体(27)とを備える。支持装置(１)は、ティルト回動体(23)をパン回動体(22)に対して回動させるためのティルト回動用操作体(28)を備える。【図１】
0005460873.tif 000002
【図２】
0005460873.tif 000003
【図３】
0005460873.tif 000004
【図４】
0005460873.tif 000005
【図５】
0005460873.tif 000006
【図６】
0005460873.tif 000007
【図７】
0005460873.tif 000008
【図８】
0005460873.tif 000009